(57)【要約】【課題】計測精度の向上が図られる流量計の提供を目的とする。【解決手段】本発明の流量計１０は、計測管２１の周りに配置された複数の電極２３から一の電極２３を順番に選択し、一の電極２３から計測管２１内の流体に電圧を印加して、残りの電極のそれぞれと一の電極２３との間に流れる電流を検出し、検出された電流を列要素とする行列Ｉを生成する。そして、流量計１０は、計測管２１内を混相流が移動する場合に生成される第１の行列Ｉｍと計測管２１内を混相流の連続相のみが移動する場合に生成される第２の行列Ｉｈの差行列の各要素を第２の行列Ｉｈの各要素で除してなる正規化行列Ｉｄを生成し、その正規化行列Ｉｄに基づいて、混相流における分散相の割合を演算し、連続相の流量を演算する。【選択図】図１
2018051448.tif 000002
【特許請求の範囲】
【請求項１】
流体が流れる計測管と、
前記計測管の周りに配置された３個以上の複数の電極と、
前記複数の電極から一の電極を順番に選択する電極選択手段と、
前記一の電極から前記計測管内の流体に電圧を印加して、複数の電極から前記一の電極を除いた残りの電極のそれぞれと前記一の電極との間に流れる電流を検出するか、又は、前記一の電極から前記計測管内の流体に電流を印加して、前記複数の電極から前記一の電極を除いた残りの電極のそれぞれと前記一の電極との間にかかる電圧を検出する検出手段と、
前記電極選択手段により選択される前記一の電極のそれぞれについて前記検出手段の検出結果を収集し、前記検出結果を行要素又は列要素とする行列を生成する行列生成手段と、
前記計測管内を連続相及び分散相からなる混相流が移動する場合に前記行列生成手段が生成する第１の行列と前記計測管内を前記連続相のみが移動する場合に前記行列生成手段が生成する第２の行列の差行列の各要素を前記第２の行列の各要素で除してなる正規化行列を生成し、その正規化行列に基づいて、前記混相流における分散相の割合を演算する割合演算手段と、
前記割合演算手段が演算した前記分散相の割合に基づいて、前記混相流における前記連続相の流量を演算する流量演算手段と、を有する流量計。
【請求項２】
請求項１に記載の流量計であって、
前記割合演算手段は、前記正規化行列の要素の総和に基づいて、前記分散相の割合を演算する。
【請求項３】
請求項１又は２に記載の流量計であって、
前記複数の電極で構成される電極ユニットが、前記混相流の移動方向に所定の距離だけ離して１対備えられ、
上流側に配される前記電極ユニットの検出結果から生成される前記正規化行列と、下流側に配される前記電極ユニットの検出結果から生成される前記正規化行列と、の相関性を判断し、相関性が高い２つの正規化行列に基づいて前記分散相の流速を演算する流速演算手段と、を有し、
前記流量演算手段は、前記割合演算手段が演算した前記分散相の割合と、前記流速演算手段が求めた前記分散相の流速と、から前記分散相の流量を演算する。
【請求項４】
請求項３に記載の流量計であって、
１対の前記電極ユニットの間で、前記一の電極から印加する電圧又は電流の周波数が異なっている。
【請求項５】
請求項１乃至４のうち何れか１の請求項に記載の流量計であって、
前記複数の電極のうち対向する１対の電極を、前記流体によって発生する電位差を検出する１対の検出電極として備える。
【請求項６】
混相流における連続相の流量計測方法であって、
流体が流れる計測管の周りに３個以上の複数の電極を配置することと、
前記複数の電極から一の電極を選択し、その一の電極から前記計測管内の流体に電圧を印加して前記複数の電極から前記一の電極を除いた残りの電極のそれぞれと前記一の電極との間に流れる電流を検出するか、又は、前記一の電極から前記計測管内の流体に電流を印加して前記複数の電極から前記一の電極を除いた残りの電極のそれぞれと前記一の電極との間にかかる電圧を検出することと、
前記計測管内を連続相及び分散相からなる混相流が移動するときに前記複数の電極から前記一の電極を順番に選択して、前記残りの電極により検出された電流又は電圧を行要素又は列要素とする第１の行列を生成することと、
前記計測管内を前記連続相のみが移動するときに前記複数の電極から前記一の電極を順番に選択して、前記残りの電極により検出された電流又は電圧を行要素又は列要素とする第２の行列を生成することと、
前記第１の行列と前記第２の行列の差行列の各要素を前記第２の行列の各要素で除して正規化行列を求め、その正規化行列に基づいて、前記分散相の割合を求めることと、
前記分散相の割合に基づいて、前記混相流における連続相の流量を求めることと、を含む。
【発明の詳細な説明】
【技術分野】
【０００１】
本発明は、混相流における連続相の流量を計測する流量計及び流量計測方法に関する。
【背景技術】
【０００２】
一般に、流量計は、計測対象の流体が計測管内に満たされていることを前提として、流体の流量を計測するようになっている（例えば、特許文献１）。
【先行技術文献】
【特許文献】
【０００３】
【特許文献１】特開２００７−１０８１１６号（段落［０００２］〜［０００３］）
【発明の概要】
【発明が解決しようとする課題】
【０００４】
ところで、計測管内に異物が混入して、計測対象の流体と異物とからなる混相流が計測管内を流れることが考えられる。このような場合、異物に起因した計測誤差が発生し、流体の流量を精度よく計測することが困難であった。【０００５】
本発明は、計測精度の向上が図られる流量計及び流量計測方法の提供を目的とする。
【課題を解決するための手段】
【０００６】
本発明の流量計は、流体が流れる計測管と、前記計測管の周りに配置された３個以上の複数の電極と、前記複数の電極から一の電極を順番に選択する電極選択手段と、前記一の電極から前記計測管内の流体に電圧を印加して、複数の電極から前記一の電極を除いた残りの電極のそれぞれと前記一の電極との間に流れる電流を検出するか、又は、前記一の電極から前記計測管内の流体に電流を印加して、前記複数の電極から前記一の電極を除いた残りの電極のそれぞれと前記一の電極との間にかかる電圧を検出する検出手段と、前記電極選択手段により選択される前記一の電極のそれぞれについて前記検出手段の検出結果を収集し、前記検出結果を行要素又は列要素とする行列を生成する行列生成手段と、前記計測管内を連続相及び分散相からなる混相流が移動する場合に前記行列生成手段が生成する第１の行列と前記計測管内を前記連続相のみが移動する場合に前記行列生成手段が生成する第２の行列の差行列の各要素を前記第２の行列の各要素で除してなる正規化行列を生成し、その正規化行列に基づいて、前記混相流における分散相の割合を演算する割合演算手段と、前記割合演算手段が演算した前記分散相の割合に基づいて、前記混相流における前記連続相の流量を演算する流量演算手段と、を有する。【０００７】
本発明の流量計測方法は、混相流における連続相の流量計測方法であって、流体が流れる計測管の周りに３個以上の複数の電極を配置することと、前記複数の電極から一の電極を選択し、その一の電極から前記計測管内の流体に電圧を印加して前記複数の電極から前記一の電極を除いた残りの電極のそれぞれと前記一の電極との間に流れる電流を検出するか、又は、前記一の電極から前記計測管内の流体に電流を印加して前記複数の電極から前記一の電極を除いた残りの電極のそれぞれと前記一の電極との間にかかる電圧を検出することと、前記計測管内を連続相及び分散相からなる混相流が移動するときに前記複数の電極から前記一の電極を順番に選択して、前記残りの電極により検出された電流又は電圧を行要素又は列要素とする第１の行列を生成することと、前記計測管内を前記連続相のみが移動するときに前記複数の電極から前記一の電極を順番に選択して、前記残りの電極により検出された電流又は電圧を行要素又は列要素とする第２の行列を生成することと、前記第１の行列と前記第２の行列の差行列の各要素を前記第２の行列の各要素で除して正規化行列を求め、その正規化行列に基づいて、前記分散相の割合を求めることと、前記分散相の割合に基づいて、前記混相流における連続相の流量を求めることと、を含む。
【図面の簡単な説明】
【０００８】
【図１】本発明の第１実施形態に係る流量計のブロック図
【図２】（Ａ）電極制御回路による電極の制御を説明するための概略図、（Ｂ）一の電極と残りの電極との関係を示す概略図
【図３】電極制御処理のフローチャート
【図４】電極制御処理による電流データ取得の流れを説明するための図
【図５】流量演算処理のフローチャート
【図６】正規化行列の生成の流れを説明するための図
【図７】（Ａ）異物の配置パターンを示す図、（Ｂ）異物の割合と正規化行列の要素の総和との関係を示すグラフ
【図８】（Ａ）ケース１Ａの正規化行列の各列要素と電極との関係を示すグラフ、（Ｂ）ケース１Ｂの正規化行列の各列要素と電極との関係を示すグラフ、（Ｃ）ケース１Ｃの正規化行列の各列要素と電極との関係を示すグラフ
【図９】（Ａ）ケース２Ａの正規化行列の各列要素と電極との関係を示すグラフ、（Ｂ）ケース２Ｂの正規化行列の各列要素と電極との関係を示すグラフ、（Ｃ）ケース２Ｃの正規化行列の各列要素と電極との関係を示すグラフ
【図１０】（Ａ）ケース３Ａの正規化行列の各列要素と電極との関係を示すグラフ、（Ｂ）ケース３Ｂの正規化行列の各列要素と電極との関係を示すグラフ、（Ｃ）ケース３Ｃの正規化行列の各列要素と電極との関係を示すグラフ
【図１１】第２実施形態に係る流量計において、電極制御回路による電極の制御を説明するための概略図
【図１２】異物流量演算処理のフローチャート
【図１３】異物流量演算処理で行われる相互相関解析の流れを説明するための図
【発明を実施するための形態】
【０００９】
［第１実施形態］
図１及び図２（Ａ）に示されるように、本実施形態の流量計１０は、電磁流量計であって、検出部２０と制御部３０とから構成されている。検出部２０は、計測対象の流体が流れる計測管２１と、計測管２１の側方に配置された励磁コイル２２と、計測管２１の周りに固定されたｎ個（ｎ≧３。図１の例では、ｎ＝８）の電極２３と、を備えている。ｎ個の電極２３は、計測管２１の周方向で等間隔に配置されている。ｎ個の電極２３のうち互いに対向する１対の電極２３，２３は、１対の検出電極２４，２４を構成する。励磁コイル２２に励磁電流が流れると、計測管２１内を横切る磁束が発生する。ここで、１対の検出電極２４，２４は、磁束及び流体の流れの向きと直交する方向に対向配置されている。そして、計測管２１内に磁束が発生した状態でその磁束に直交して液体が流れると、１対の検出電極２４，２４間に液体の流速に比例した電位差が発生する。
【００１０】
図１に示されるように、制御部３０は、主制御回路３１、励磁回路３２及び電圧検出回路３４を備えている。また、制御部３０は、流量計１０の計測結果を表示する表示装置３５を備えている。
【００１１】
主制御回路３１は、ＣＰＵ３１Ａ、ＲＡＭ３１Ｂ、ＲＯＭ３１Ｃを備えている。具体的には、主制御回路３１は、ＲＯＭ３１Ｃに記憶された所定のプログラムを実行して励磁回路３２のスイッチ素子をオンオフ制御し、計測路２１内の磁束の向きが交互に切り替わるように励磁コイル２２，２２を励磁する。計測路２１内に発生した磁束を流体が横切ると、１対の検出電極２４，２４の間に電位差が生じる。この電位差は、電圧検出回路３４を介して主制御回路３１に取り込まれる。主制御回路３１は、検出電極２４，２４間の電位差に基づいて流体の流速を演算し、その流速に計測路２１の断面積を乗じて実測流量を算出する。そして、主制御回路３１は、後述する流量演算処理Ｓ２０（図５）を実行して実測流量を補正し、補正後の実測流量を表示装置３５に出力する。
【００１２】
図１に示されるように、制御部３０は、電極制御回路３３を備えている。電極制御回路３３は、主制御回路３１からの制御信号を受けて図３に示す電極制御処理Ｓ１０を実行する。電極制御処理Ｓ１０では、まず、ｎ個の電極２３から一の電極２３を選択するための変数ｉをゼロに設定する（ステップＳ１１）。次いで、変数ｉを１インクリメントし（ステップＳ１２）、変数ｉに対応するｉ番目の電極２３から計測管２１内の流体に所定の電圧を印加する（ステップＳ１３）。ｉ番目の電極２３から電圧が印加されたら、図２（Ｂ）に示されるように、残りのｎ−１個の電極２３のそれぞれについて、ｉ番目の電極２３との間に流れる電流を検出する（ステップＳ１４）。
【００１３】
ステップＳ１４が終了すると、変数ｉがｎであるか否かが判断される（ステップｓ１５）。変数ｉがｎでない場合（ステップＳ１５でＮｏ）、ステップＳ１２の処理に戻る。一方、変数ｉがｎである場合（ステップＳ１５でＹｅｓ）、変数ｉ＝１〜ｎの全てについて検出した電流データを主制御回路３１に出力し（ステップＳ１６）、この電極制御処理Ｓ１０を終了する。
【００１４】
このように、電極制御回路３３は、ｎ個の電極２３から１つずつ電極２３を選択し、選択した電極２３から計測管２１内の流体に電圧を印加する（ステップＳ１１〜Ｓ１３、Ｓ１５）。次いで、電極制御回路３３は、ｎ個の電極２３から上記一の電極２３を除いた残りのｎ−１個の電極２３のそれぞれについて、一の電極２３との間に流れる電流を検出し（ステップＳ１４）、検出結果を主制御回路３１に出力する（ステップＳ１６）。
【００１５】
図４には、電極制御回路３３が電流データを取得する流れが、電極２３の選択順に沿って示されている。図４の例では、ｎ＝８となっていて、８個の電極２３には、図４の反時計回りに順番に番号が付されている。そして、電極制御処理Ｓ１０のステップＳ１３では、変数ｉに対応する番号が付された電極２３から電圧が印加される。
【００１６】
ところで、計測管２１内の流体に異物が存在すると、流量の計測誤差が生じる。流体が水の場合の異物としては、例えば、空気や油等が挙げられる。このような流量の計測誤差を抑制すべく、本実施形態の流量計１０では、主制御回路３１が、図５に示す流量演算処理Ｓ２０を実行して、実測流量を補正する。
【００１７】
図５に示すように、流量演算処理Ｓ２０では、まず、正規化行列Ｉｄを生成する（ステップＳ２１）。正規化行列Ｉｄは、ｉ番目の電極２３から電圧を印加したときに残りのｎ−１個の電極２３に流れるｎ−１個の電流値を成分とするベクトルを電流ベクトルＩ（ｉ）とし、ｎ個の電流ベクトルＩ（１）、Ｉ（２）、・・・、Ｉ（ｎ）を列要素とする行列を電流行列Ｉ（ｎ，ｎー１）とし、実測データに基づく電流行列Ｉ（ｎ，ｎ−１）を第１の行列Ｉｍとし、計測管２１内に異物が存在しない場合の電流行列Ｉ（ｎ，ｎ−１）を第２の行列Ｉｈとしたときに、正規化行列Ｉｄ＝（Ｉｈ−Ｉｍ）／Ｉｈで表される。図６には、ステップＳ２１の処理で正規化行列Ｉｄが生成される流れが概念的に示されている。第２の行列Ｉｈは、主制御回路３１のＲＯＭ３１Ｃに記憶されている。なお、第２の行列Ｉｈは、流量計１０から予め算出されたものであってもよいし、シミュレーション実験によって算出されたものであってもよい。
【００１８】
図５に示されるように、正規化行列Ｉｄが生成されると、次いで、正規化行列Ｉｄの要素の総和Ｓを算出し（ステップＳ２２）、その総和Ｓに基づいて異物の割合を算出する（ステップＳ２３）。ここで、後に詳述するように、正規化行列Ｉｄの要素の総和Ｓは、異物の割合に比例する（図７（Ｂ））。また、正規化行列Ｉｄの要素の総和Ｓは、異物の割合が同じであれば、計測管２１内の異物の分布に依らず同じとなる。
【００１９】
図５に示されるように、異物の割合が算出されると、その割合に基づいて実測流量を補正し（ステップＳ２４）、この流量演算処理Ｓ２０を終了する。ここで、流量の計測誤差は異物の割合にほぼ比例して大きくなる。従って、ステップＳ２４の処理では、異物の割合と計測誤差の比例式に基づいて、流体の流量を演算する。なお、ステップＳ２４で用いられる比例式は、主制御回路３１のＲＯＭ３１Ｃに記憶されている。
【００２０】
このように、本実施形態の流量計１０では、連続相としての流体と分散相としての異物とからなる混相流が計測管２１内を流れる場合に、異物（分散相）の割合を求め、その割合に基づいて、実測した流体（連続相）の流量を補正する。これにより、流量計１０では、計測精度の向上が図られる。
【００２１】
図７〜図１０には、異物の割合や分布と正規化行列Ｉｄとの関係をシミュレーション実験により検証した結果が示されている。なお、このシミュレーション実験では、電極２３の数ｎが１６になっていて、変数ｉの増加に伴って電極２３が反時計方向に配置され、変数ｉ＝１に対応する電極２３が紙面の右側に配置されている。
【００２２】
図７（Ａ）には、計測管２１の断面における異物の分布が示されている。また、図７（Ｂ）には、正規化行列Ｉｄの要素の総和Ｓに対して割合がプロットされたグラフが示されている。図７（Ａ）におけるケース１Ａ，１Ｂ，１Ｃ及びケース３Ａ，３Ｂ，３Ｃでは、異物の数や分布は異なっているが、異物の割合は略同じになっている。また、ケース２Ａ，２Ｂ，２Ｃでは、ケース１Ａ，１Ｂ，１Ｃ及びケース３Ａ，３Ｂ，３Ｃよりも異物の割合が小さくなっている。
【００２３】
図７（Ｂ）に示されるように、正規化行列Ｉｄの要素の総和Ｓは、異物の割合が同じであれば、異物の分布に関係なく同じ値をとる。また、正規化行列Ｉｄの要素の総和Ｓは、異物の割合に比例して大きくなる。これらのことから、正規化行列Ｉｄの要素の総和Ｓから異物の割合を算出できることが確認できる。
【００２４】
図８には、ケース１Ａ，１Ｂ，１Ｃ（図７（Ａ）の上段）のそれぞれの正規化行列Ｉｄについて、列要素を電極２３に対応する変数ｉに対してプロットしたグラフが示されている。図９には、ケース２Ａ，２Ｂ，２Ｃ（図７（Ａ）の中段）のそれぞれの正規化行列Ｉｄについて、列要素を電極２３に対応する変数ｉに対してプロットしたグラフが示されている。図１０には、ケース３Ａ，３Ｂ，３Ｃ（図７（Ａ）の下段）のそれぞれの正規化行列Ｉｄについて、列要素を電極２３に対応する変数ｉに対してプロットしたグラフが示されている。なお、図８〜図１０に示すグラフの横軸の番号は変数ｉに対応している。
【００２５】
ケース１Ａの場合、即ち、一つの異物が計測管２１の外縁寄りに配置されている場合には、図８（Ａ）に示されるように、電極２３同士の間で電流値の変化量（詳細には、異物が混入することによる電流値の変化量）に偏りが生じ、異物の近くにある電極２３（変数ｉ＝５に対応する電極２３）へ流れる電流値の変化量が大きくなる。また、ケース１Ｂの場合、即ち、ケース１Ａの場合よりも異物が計測管２１の中心側に配置されている場合についても、図８（Ｂ）に示されるように、異物の近くにある電極２３（変数ｉ＝５に対応する電極２３）へ流れる電流値の変化量が大きくなる。ケース１Ａにおいて異物の近くにある電極２３へ流れる電流値の変化量は、ケース１Ｂにおいて異物の近くにある電極２３へ流れる電流値の変化量よりも大きくなっている。また、ケース１Ｃの場合、即ち、異物が計測管２１の中心に配置されている場合には、図８（Ｃ）に示されるように、電極２３同士の間での電流値の変化量の偏りがなくなり、ケース１Ａ，１Ｂの場合と比較して電流値の変化量のピーク値が小さくなる。
【００２６】
図９（Ａ）〜９（Ｃ）に示されるように、ケース２Ａ〜２Ｃについても、ケース１Ａ〜１Ｃと同様の結果が確認できる。また、上述したように、ケース２Ａ，２Ｂ，２Ｃでは、異物の割合が小さくなっていることから、図９（Ａ），９（Ｂ），９（Ｃ）の各グラフにおける縦軸の値（即ち、正規化行列Ｉｄの要素の値）は、図８（Ａ），８（Ｂ），８（Ｃ）の各グラフにおける縦軸の値よりも小さくなっている。詳細には、ケース２Ａ〜２Ｃにおける異物の割合はケース１Ａ〜１Ｃにおける異物の割合の約４分の１になっていて、図９（Ａ）〜９（Ｃ）のグラフの縦軸の値は図８（Ａ）〜８（Ｃ）のグラフの縦軸の値の約４分の１になっている。
【００２７】
ケース３Ａの場合、即ち、複数の異物が計測管２１の外縁寄りにかたまって配置されている場合には、図１０（Ａ）に示されるように、電極２３同士の間で電流値の変化量に偏りが生じ、異物の近くにある電極２３（変数ｉ＝５，６に対応する電極２３）へ流れる電流値の変化量が大きくなる。ケース３Ｂの場合、即ち、複数の異物が計測管２１の外縁寄りにバラバラに配置されている場合についても、図１０（Ｂ）に示されるように、異物の近くにある電極２３（変数ｉ＝１，１１に対応する電極２３）へ流れる電流値の変化量が大きくなる。また、ケース３Ｃの場合、即ち、複数の異物が計測管２１の中心付近で周方向に等間隔に配置されている場合には、電極２３同士の間での電流値の変化量の偏りがなくなり、ケース３Ａ，３Ｂの場合と比較して電流値の変化量のピーク値が小さくなる。
【００２８】
このように、図８〜図１０に示すシミュレーション実験の結果から、電極２３同士の間で電流値の変化量に偏りがある場合には、異物は、電流値の変化量の大きい電極２３の近くに存在し、電流値の変化量の小さい電極２３から離れていることが分かる。また、異物が電極２３の近くに存在する場合には、その電極２３へ流れる電流値の変化量が大きくなるほど、異物は電極２３の近くに存在することが分かる。
【００２９】
本実施形態の流量計１０の構成に関する説明は以上である。次に、流量計１０の作用効果について説明する。
【００３０】
本実施形態の流量計１０では、計測管２１の周りに配置された複数の電極２３から一の電極２３を順番に選択し、一の電極２３から計測管２１内の流体に電圧を印加して、残りの電極２３のそれぞれと一の電極２３との間に流れる電流を検出し、その検出結果を列要素とする行列を生成する。具体的には、流量計１０では、計測管２１内に異物が存在する場合に生成される第１の行列Ｉｍと計測管２１内を流体のみが移動する場合に生成される第２の行列Ｉｈとから、第１の行列Ｉｍと第２の行列Ｉｈの差行列の各要素を第２の行列Ｉｈの各要素で除してなる正規化行列Ｉｄを生成し、その正規化行列Ｉｄに基づいて、異物の割合を演算する。そして、流量計１０では、異物の割合に基づいて、実測流量を補正する。これにより、流量計１０では、流体の流量の計測精度を向上させることが可能となる。
【００３１】
また、本実施形態の流量計１０では、正規化行列Ｉｄの列要素に着目することで、複数の電極２３のうち何れの電極２３の近くに異物が存在しているかを推測することが可能となる。これにより、異物の位置を特定することが可能となる。
【００３２】
また、本実施形態の流量計１０は、電磁式になっていて、複数の電極２３のうち対向する１対の電極２３，２３が、流体によって発生する電位差を検出する１対の検出電極２４，２４となっている。この構成によれば、異物の割合を求めるための複数の電極２３の一部を流体の流量を計測するための検出電極２４に兼用でき、流量計１０のコンパクト化が図られる。
【００３３】
なお、本実施形態では、主制御回路３１が本発明の「行列生成手段」、「割合演算手段」及び「流量演算手段」に相当し、電極制御回路３３が本発明の「電極選択手段」及び「検出手段」に相当する。
【００３４】
［第２実施形態］
本実施形態の流量計１０Ｖは、上記第１実施形態の流量計１０を変形したものであり、図１１に示されるように、ｎ個の電極２３からなる電極ユニット２３Ｕを１対備えている。１対の電極ユニット２３Ｕ，２３Ｕは、計測管２１の流れ方向に所定の距離Ｌだけ離れて配置されている。電極制御回路３３は、各電極ユニット２３Ｕについて、上述した電極制御処理Ｓ１０（図３）を実行し、各電極ユニット２３Ｕから電流データを取得する。主制御回路３１は、１対の電極ユニット２３Ｕ，２３Ｕのうち一方又は両方の電極ユニット２３Ｕが取得した電流データを用いて流量演算処理Ｓ２０（図５）を実行し、流体の流量を演算する。
【００３５】
ここで、１対の電極ユニット２３Ｕ，２３Ｕの間では、一の電極２３から計測管２１内の流体に印加する電圧の周波数が異なっている。これにより、流量計１０Ｖでは、電流の検出にあたって、１対の電極ユニット２３Ｕ，２３Ｕ間での干渉を避けることが可能となる。
【００３６】
本実施形態の流量計１０Ｖは、異物の流量も演算する。異物の流量の演算にあたって、主制御回路３１は、流量演算処理Ｓ２０に加えて、図１２に示される異物流量演算処理Ｓ３０を実行する。
【００３７】
異物流量演算処理Ｓ３０では、まず、上流側の電極ユニット２３Ｕの検出結果から生成される正規化行列Ｉｄ１（以下、「上流側正規化行列Ｉｄ１」という。）の時系列変化と、下流側の電極ユニット２３Ｕの検出結果から生成される正規化行列Ｉｄ２（以下、「下流側正規化行列Ｉｄ２」という。）の時系列変化について、相互相関解析を行う（ステップＳ３１）。具体的には、上流側正規化行列Ｉｄ１の要素の総和Ｓの時系列変化と、下流側正規化行列Ｉｄ２の要素の総和Ｓの時系列変化を評価し、２つの時系列変化の時間のズレ量Δｔを求める。
【００３８】
次いで、相互相関解析の結果に基づいて、異物の流速を算出する（ステップＳ３２）。具体的には、ステップＳ３１の処理で求めた時間のズレ量Δｔと、上流側の電極ユニット２３Ｕと下流側の電極ユニット２３Ｕとの距離Ｌとから、異物の平均流速を求める。
【００３９】
次いで、流量演算処理Ｓ２０（図５）で求めた異物の割合と異物の平均流速とから、異物の流量を算出し（ステップＳ３３）、この異物流量演算処理Ｓ３０を終了する。なお、図１３には、異物流量演算処理Ｓ３０で行われる相互相関解析の流れが概念的に示されている。
【００４０】
本実施形態の流量計１０Ｖによれば、流体の流量だけでなく異物の流量も計測することが可能となる。なお、本実施形態では、主制御回路３１が請求項５に記載の「流速演算手段」及び「流量演算手段」に相当する。
【００４１】
［他の実施形態］
（１）上記実施形態では、本発明を電磁流量計に適用した例を示したが、例えば、羽根車式流量計や超音波流量計に適用してもよい。
【００４２】
（２）上記実施形態において、複数の電極２３の中から選択された一の電極２３から計測管２１内の流体に電圧を印加する代わりに電流を印加してもよい。この場合、電極制御回路３３は、当該一の電極２３と残りの電極２３のそれぞれとの間にかかる電圧を検出し、その電圧データを主制御回路３１に出力する。本構成によっても、上記実施形態と同様の効果を奏することができる。なお、上記第２実施形態では、１対の電極ユニット２３Ｕ，２３Ｕの間で印加電流の周波数を異ならせればよい。
【００４３】
（３）上記実施形態では、電流データを列要素とする行列を生成していたが、電流データを行要素とする行列を生成してもよい。
【００４４】
（４）上記実施形態において、混相流における連続相／分散相の組合せは、気体／気体、気体／液体、気体／固体、液体／気体、液体／液体、液体／固体の何れであってもよい。連続相が気体で分散相が固体の例としては、空気と塵の組合せが挙げられる。連続相が液体で分散相が気体の例としては、水と空気の組合せが挙げられる。連続相と分散相が共に液体である例としては、水とオイルの組合せが挙げられる。
【００４５】
（５）上記第２実施形態では、１対の電極ユニット２３Ｕ，２３Ｕの検出結果から得られる正規化行列Ｉｄの要素の総和Ｓの時系列変化について、相互相関解析が行われていたが、正規化行列Ｉｄの一部の要素（例えば、列要素や行列要素）の時系列変化について、相互相関解析が行われてもよい。具体的には、上流側正規化行列Ｉｄ１の一部の要素と、下流側正規化行列Ｉｄ２の一部の要素との類似度を評価し、類似度の高い要素同士の時間のズレ量Δｔを求める。このとき、類似度の高い要素同士は、正規化行列Ｉｄにおいて同じ場所に配置されている必要はなく、例えば、上流側正規化行列Ｉｄ１の1列目の列要素と下流側正規化行列Ｉｄ２の２列目の列要素の類似度が高くなってもよい。この場合には、計測管２１の流れ方向に沿った異物の流速だけでなく、計測管２１の径方向に沿った異物の流速を求めることが可能となる。
【００４６】
（６）上記実施形態において、複数の電極２３とは別に、１対の検出電極２４，２４を備えた構成としてもよい。
【符号の説明】
【００４７】
１０    流量計
２１    計測管
２３    電極
３１    主制御回路
３３    電極制御回路
【図１】
2018051448.tif 000003
【図２】
2018051448.tif 000004
【図３】
2018051448.tif 000005
【図４】
2018051448.tif 000006
【図５】
2018051448.tif 000007
【図６】
2018051448.tif 000008
【図７】
2018051448.tif 000009
【図８】
2018051448.tif 000010
【図９】
2018051448.tif 000011
【図１０】
2018051448.tif 000012
【図１１】
2018051448.tif 000013
【図１２】
2018051448.tif 000014
【図１３】
2018051448.tif 000015
【国際調査報告】
2018051448.tif 000016
2018051448.tif 000017